(57)【要約】【課題】併用される吸収性物品を有効に利用できる吸収性パッドを提供すること。【解決手段】本発明の吸収性パッド１は、吸収体３及び該吸収体３の非肌当接面側に配された裏面シートを具備し、別体の吸収性物品の肌当接面側に配置されて使用されうる。前記裏面シートは、吸収体３の非肌当接面側３１の一部３１ａを被覆している液不透過性の内側裏面シート４と、該内側裏面シート４によって被覆されていない、該吸収体３の非肌当接面側３１の他の部分３１ｂを被覆していると共に、該内側裏面シート４の非肌当接面側の一部を被覆している液不透過性の外側裏面シート８とを含んで構成されている。内側裏面シート４と外側裏面シート８との重なり部１０に、両裏面シート４，８間が接合されていない非接合部１２が形成されており、該非接合部１２を介して外部へ液が移行可能になされている。【選択図】図３
2011019562.tif 000002
【特許請求の範囲】
【請求項１】
吸収体及び該吸収体の非肌当接面側に配された裏面シートを具備し、別体の吸収性物品の肌当接面側に配置されて使用されうる吸収性パッドであって、
前記裏面シートは、前記吸収体の非肌当接面側の一部を被覆している液不透過性の内側裏面シートと、該内側裏面シートによって被覆されていない、該吸収体の非肌当接面側の他の部分を被覆していると共に、該内側裏面シートの非肌当接面側の一部を被覆している液不透過性の外側裏面シートとを含んで構成されており、
前記内側裏面シートと前記外側裏面シートとの重なり部に、両裏面シート間が接合されていない非接合部が形成されており、該非接合部を介して外部へ液が移行可能になされている吸収性パッド。
【請求項２】
前記吸収性パッドは前方部、中央部及び後方部を長手方向に有しており、該前方部又は該後方部に前記重なり部が存している請求項１記載の吸収性パッド。
【請求項３】
前記吸収性パッドは前方部、中央部及び後方部を長手方向に有しており、該中央部に前記重なり部が２箇所存している請求項１記載の吸収性パッド。
【請求項４】
前記重なり部に、パッド長手方向に延びる、前記両裏面シートの帯状の接合部と帯状の前記非接合部とが、該パッド長手方向と直交するパッド幅方向に交互に配置されている請求項１〜３の何れかに記載の吸収性パッド。
【請求項５】
前記吸収性パッドの長手方向の両側に一対の立体ギャザーが設けられており、該立体ギャザーは、該吸収性パッドの肌当接面側に起立する基壁部と、該基壁部の上端部に位置し且つ着用時に着用者の肌に当接する弾性伸縮部とを含んで構成され、且つ該弾性伸縮部が該吸収性パッドの肌当接面側に接合されている弾性伸縮部固定部を有しており、
前重なり部が、前記弾性伸縮部固定部よりもパッド長手方向の内方に形成されている請求項１〜４の何れかに記載の吸収性パッド。
【発明の詳細な説明】
【技術分野】
【０００１】
本発明は、使い捨ておむつ等の吸収性物品と重ねて使用されうる吸収性パッドに関する。
【背景技術】
【０００２】
近年、尿等の排泄物の処理に伴う経済的、労力的な負担の軽減を目的として、吸収性パッドを、使い捨ておむつ等の吸収性物品と重ねて使用することが行われている。吸収性パッドを使用する目的の１つは、吸収性物品の交換頻度を低減することである。斯かる目的の達成のため、例えば、尿吸収用パッドは、老人や病人等が着用する使い捨ておむつの表面シートの上に配置され、失禁した尿を吸収保持させるのに使用される。排泄される尿の量が比較的少量の場合には、尿吸収用パッドのみを交換するだけで済み、使い捨ておむつの交換頻度を減らすことができる。
【０００３】
吸収性パッドを使用する他の目的の１つは、例えば夜間就寝中に使い捨ておむつを着用する場合のように、長時間に亘って吸収性物品を着用し続け、例えば吸収性物品だけでは吸収しきれないような多量の尿が排泄される場合等に、吸収性物品による尿の吸収を補助することである。従来の尿吸収用パッドは、その非肌当接面側に液不透過性の裏面シートを備えており、該裏面シートを使い捨ておむつ等の吸収性物品の表面シートに対向させて配置されるため、該尿吸収用パッドでは吸収しきれないような多量の尿が排泄された場合には、該尿吸収用パッドで吸収しきれなかった尿が吸収性物品の横から漏れ出し易いという問題があった。
【０００４】
このような横漏れの対策としては、尿吸収用パッドを頻繁に交換する方法、又は尿吸収用パッドの吸収体の吸収容量を大きくする方法がある。しかし、前者の方法では、介護者の労力が増える問題がある。また、後者の方法では、尿吸収用パッドの寸法が大きくなるため、装着しづらくなる等、取り扱いの点で問題が生じる。
【０００５】
吸収性パッドの改良技術に関し、例えば特許文献１には、吸収体と、吸収体の上側に積層された液透過性の表面シートと、吸収体の下側に積層された裏面シートとを備え、該裏面シートが排泄液の一部を透過し得る素材からなる使い捨て補助パッドが記載されている。特許文献１に記載の使い捨て補助パッドにおける前記裏面シートは、その略中央部に孔を有しており、この孔を通じて尿が該補助パッドの下に配置された吸収性物品へ移行するようになされている。
【０００６】
また特許文献２には、液透過性の表面シート、吸収コア、及び液透過性の外面シートを順次積層してなり、該外面シートの外面に、該外面の略全域を覆う液不透過性のバックシートが剥離可能に接合されている尿取りパッドが記載されている。特許文献２に記載の尿取りパッドは、例えば短時間に尿取りパッドを交換できるときは、前記バックシートを付けたまま使用でき、例えば夜間等のように長時間介護できないときは、前記バックシートを剥がして使用できるようになされている。
【０００７】
また特許文献３には、表面シート、裏面シート及び両シート間に介在された吸収体を具備し、該裏面シートは、一面側が疎水性、他面側が親水性で、且つ親水性を有する該他面側が該吸収体と対向するように配置されている補助吸収性物品が記載されている。
【先行技術文献】
【特許文献】
【０００８】
【特許文献１】特開２００１−７０３４１号公報
【特許文献２】特開平１１−２６７１４５公報
【特許文献３】特開２００７−１３５７９０号公報
【発明の概要】
【発明が解決しようとする課題】
【０００９】
特許文献１に記載の使い捨て補助パッドは、尿が通過可能な孔が、該パッドの略中央部に位置する、着用者の排泄部位と対向する部分（排尿ポイント）の裏面シートに形成されているため、該排泄部位から該補助吸収性物品に向けて排泄された尿は、着用時の体圧等により、該補助パッド内に留まらずに該孔を通じてその下の吸収性物品へ移行しやすい。そのため、補助パッドに液を吸収保持する余地が十分に残されているにもかかわらず、尿が使い捨ておむつ等の吸収性物品に移行し、排泄された尿が少量にもかかわらず使い捨ておむつを汚してしまう場合がある。
【００１０】
特許文献２に記載の尿取りパッドは、使用状況に応じてバックシートを剥離する必要があるため、その手間がかかり、また、剥離したバックシートはゴミとなってしまう。また、短時間で尿取りパッドを交換できると考えて、バックシートを接合した状態で尿取りパッドを使い捨ておむつに装着しても、予定通りに尿取りパッドを交換できない場合には、尿漏れが起きるおそれがある。逆に、長時間に亘り尿取りパッドを交換できないと考えて、バックシートを剥離した状態で尿取りパッドを使い捨ておむつに装着した場合、排泄された尿は該尿取りパッド内に留まりにくく、該尿取りパッドの下に配置された使い捨ておむつに移行し易いため、排泄される尿が少量にもかかわらず、排尿ポイントを中心に使い捨ておむつを汚してしまう場合もある。
【００１１】
特許文献３に記載の補助吸収性物品は、裏面シートにおける吸収体との対向面の全面が一定の通液性を有しているため、排泄された尿が少量にもかかわらず、排尿ポイントを中心に使い捨ておむつを汚してしまう場合がある。
【００１２】
前述したように、従来の吸収性パッドは、吸収性物品と重ねて使用した場合に、排泄された尿が少量にもかかわらず、尿を保持せずに吸収性物品へ移行させてしまいやすく、該吸収性パッドが本来有している液吸収保持能を十分に活用することができなかった。吸収性物品の交換頻度の低減、吸収性物品による尿の吸収補助といった、吸収性パッドに求められる作用効果を奏し、併用される吸収性物品を有効に利用できる吸収性パッドは未だ提供されていない。
【００１３】
従って本発明の課題は、併用される吸収性物品を有効に利用できる吸収性パッドを提供することにある。
【課題を解決するための手段】
【００１４】
本発明は、吸収体及び該吸収体の非肌当接面側に配された裏面シートを具備し、別体の吸収性物品の肌当接面側に配置されて使用されうる吸収性パッドであって、前記裏面シートは、前記吸収体の非肌当接面側の一部を被覆している液不透過性の内側裏面シートと、該内側裏面シートによって被覆されていない、該吸収体の非肌当接面側の他の部分を被覆していると共に、該内側裏面シートの非肌当接面側の一部を被覆している液不透過性の外側裏面シートとを含んで構成されており、前記内側裏面シートと前記外側裏面シートとの重なり部に、両裏面シート間が接合されていない非接合部が形成されており、該非接合部を介して外部へ液が移行可能になされている吸収性パッドを提供することにより、前記課題を解決したものである。
【発明の効果】
【００１５】
本発明の吸収性パッドによれば、使い捨ておむつ等の吸収性物品と重ねて使用した場合に、尿等の液が該吸収性パッド内にある程度溜まってから吸収性物品へ移行するため、吸収性物品の交換頻度の低減が図られ、吸収性物品を有効に利用することができ、漏れを起こし難い。
【図面の簡単な説明】
【００１６】
【図１】図１は、本発明の吸収性パッドの第１実施形態の肌当接面側（表面シート側）を模式的に示す平面図である。
【図２】図２は、図１のＩ−Ｉ線断面を模式的に示す断面図である。
【図３】図３は、図１のＩＩ−ＩＩ線断面を模式的に示す断面図である。
【図４】図４は、図１に示す吸収性パッドにおける、内部裏面シートと外部裏面シートとの間の非接合部の配置パターンを模式的に示す平面図である。
【図５】図５は、図１に示す吸収性パッドの使用形態を模式的に示す断面図である。
【図６】図６は、本発明の吸収性パッドの第２実施形態の図１相当図である。
【図７】図７は、本発明の吸収性パッドの第２実施形態の図３相当図である。
【図８】図８は、本発明の吸収性パッドの第３実施形態の図１相当図である。
【図９】図９は、本発明の吸収性パッドの第３実施形態の図３相当図である。
【発明を実施するための形態】
【００１７】
以下、本発明の吸収性パッドをその好ましい実施形態に基づき図面を参照しながら説明する。図１〜図５には、本発明の吸収性パッドの第１実施形態が示されている。第１実施形態の吸収性パッド１は、図１〜図３に示すように、液透過性の表面シート２と、該表面シート２の非肌当接面側に配された液保持性の吸収体３と、該吸収体３の非肌当接面側に配された液不透過性の裏面シート（内部裏面シート４及び外部裏面シート８）とを具備しており、平面視において矩形形状をしている。
【００１８】
図１に示すように、吸収体３は、平面視において矩形形状をしており、また表面シート２も、吸収体３の形状に即して矩形形状をしている。吸収体３は、その長手方向をパッド長手方向（図１中、符合Ｘで示す方向）と一致させて、パッド幅方向（図１中、符合Ｙで示す方向）の中央部において、表面シート２と裏面シート４，８との間に挟持固定されている。表面シート２、裏面シート４，８はそれぞれ、吸収体３の周縁よりも外方に延出している延出部を有しており、その延出部においてこれらのシートが接着剤やヒートシール等により接合されている。
【００１９】
尚、本明細書において、「肌当接面側」は、吸収性パッド、吸収性物品又はそれらの構成部材における、着用時に着用者の肌側に向けられる面であり、「非肌当接面側」は、着用時に該肌当接面とは反対側に向けられる面である。また、「長手方向」は、吸収性パッド、吸収性物品又はそれらの構成部材の長辺方向に沿う方向であり、「幅方向」は、該長手方向と直交する方向である。「パッド長手方向」は、吸収性パッドの長手方向、「パッド幅方向」は、該長手方向と直交する方向である。
【００２０】
吸収性パッド１は、図１に示すように、前方部Ａ、中央部Ｂ及び後方部Ｃを長手方向に有している。前方部Ａはパッド着用時に着用者の腹側に位置する部位、中央部Ｂは着用者の股下に位置する部位、後方部Ｃは着用者の背側に位置する部位である。各部Ａ〜Ｃは、吸収性パッド１を長手方向に３等分した場合の各部分に相当する。
【００２１】
吸収性パッド１の長手方向の両側には、一対の立体ギャザー５，５が設けられている。立体ギャザー５は、図２に示すように、吸収性パッド１の肌当接面側（表面シート２）にパッド長手方向Ｘに沿って起立する基壁部５１と、該基壁部５１の上端部に位置し且つ着用時に着用者の肌に当接する弾性伸縮部５２とを含んで構成されている。弾性伸縮部５２には、パッド長手方向Ｘに沿って１本又は複数本（第１実施形態では１本）の弾性部材６が伸長状態で固定されることによって、弾性伸縮性が付与されている。立体ギャザー５（弾性伸縮部５２）の伸縮方向は、パッド長手方向Ｘに一致している。弾性部材６は、少なくとも中央部Ｂに配されており、更に前方部Ａ及び／又は後方部Ｃ側にも延びて配されていることが好ましい。
【００２２】
立体ギャザー５は、立体ギャザー形成用シート７を主体として構成されている。シート７は、パッド長手方向Ｘに亘って一定の幅を有するシートであり、パッド長手方向Ｘの全長に亘って配されている。シート７は、図２に示すように、基壁部５１の上端部に弾性伸縮部５２が位置している形状を有するように折り返されている。基壁部５１の下端部は、接着剤等の公知の接合手段によって、表面シート２の肌当接面側に接合されており、その接合部が、立体ギャザー５の立ち上がり基端部となっている。
【００２３】
また立体ギャザー５は、パッド長手方向Ｘの前端部及び後端部それぞれに、弾性伸縮部５２が吸収性パッド１の肌当接面側（表面シート２）に接合されている弾性伸縮部固定部５３を有している。弾性伸縮部固定部５３においては、弾性伸縮部５２が表面シート２に接合されていることで基壁部５１の起立が阻害されているため、立体ギャザー５は起立しない。つまり、立体ギャザー５は、弾性伸縮部固定部５３が形成されている、パッド長手方向Ｘの前端部（前端１ｆ及びその近傍）及び後端部（後端１ｂ及びその近傍）それぞれにおいては起立しておらず、弾性伸縮部固定部５３が形成されていない、中央部Ｂ並びに前方部Ａ及び後方部Ｃそれぞれの該中央部Ｂ寄りの領域においては、弾性部材６による収縮力によって起立している。
【００２４】
第１実施形態における裏面シートは、図２及び図３に示すように、吸収体３の非肌当接面側３１の一部３１ａを被覆している液不透過性の内側裏面シート４と、該内側裏面シート４によって被覆されていない、該吸収体３の非肌当接面側３１の他の部分３１ｂを被覆していると共に、該内側裏面シート４の非肌当接面側４１の一部を被覆している液不透過性の外側裏面シート８とを含んで構成されている。外側裏面シート８が内側裏面シート４の非肌当接面側４１を被覆している部分は、両裏面シート４，８の重なり部１０となっている。尚、吸収体３の非肌当接面側３１の一部３１ａと内部裏面シート４との間、及び吸収体３の非肌当接面側３１の他の部分３１ｂと外部裏面シート８との間は、それぞれ、接着剤の塗布等の接合手段によって接合されていても良く、接合されていなくても良い。
【００２５】
内部裏面シート４は、吸収体３よりも幅広のシートで、図２及び図３に示すように、後方部Ｃ及び中央部Ｂに配置されており、前方部Ａには配置されていない。内部裏面シート４のパッド長手方向Ｘの後端４ｂは、吸収性パッド１の長手方向後端１ｂと略同位置にあり、前端４ｆは、吸収性パッド１の長手方向の中央領域（吸収性パッド１の長手方向中央から好ましくは２００ｍｍ以内の領域）に位置している。
【００２６】
外部裏面シート８は、内部裏面シート４と略同じ幅を有するシートで、図３に示すように、前方部Ａから後方部Ｃに亘って配置されている。外部裏面シート８のパッド長手方向Ｘの後端８ｂは、吸収性パッド１の長手方向の後方部Ｃで且つ内部裏面シート４の前端４ｆよりも吸収性パッド１の長手方向後端１ｂ寄りに位置しており、前端８ｆは、吸収性パッド１の長手方向前端１ｆと略同位置にある。
【００２７】
前述した重なり部１０は、両裏面シート４，８における、内部裏面シート４の前端４ｆと外部裏面シート８の後端８ｂとの間に挟まれた部分であり、後方部Ｃに存しており、より具体的には、中央部Ｂから後方部Ｃに亘って存しており、平面視において矩形形状である。中央部Ｂには、図示していないが、着用者の排泄部位と対向する部分（排尿ポイント）が存しており、尿等の液の出口である後端８ｂは、後方部Ｃで排尿ポイントよりも吸収性パッド１の長手方向後端１ｂ寄りに位置している。このように、外部裏面シート８の後端８ｂが後方部Ｃに存していることで、尿等の液の外部への出口が排尿ポイントから離れるので、吸収性パッド１の吸収体３が効率良く使用される。そして、重なり部１０には、パッド幅方向Ｙに連続した接着剤の塗布やヒートシール等の接合手段が施されておらず、両裏面シート４，８間が接合されていない非接合部１２が形成されており、該非接合部１２を介して外部へ尿等の液が移行可能になされている。
【００２８】
図４には、非接合部１２の配置パターンが示されている。尚、図４は、本発明に係る非接合部の配置パターンの一例であり、図２で模式的に示した第１実施形態における非接合部の配置パターンとは必ずしも一致しない。図４に示すように、重なり部１０における内部裏面シート４と外部裏面シート８との間には、パッド長手方向Ｘに延びる、両裏面シート４，８の帯状の接合部９と帯状の非接合部１２とが、パッド幅方向Ｙに交互に配置されている。接合部９及び非接合部１２は、それぞれ、重なり部１０のパッド長手方向Ｘの全長に亘っている。内部裏面シート４と外部裏面シート８とは、接合部９において接合されている。非接合部１２は、重なり部１０（裏面シート４，８）のパッド幅方向Ｙの中央部、より具体的には、吸収体３に対応する部分（吸収体３の真下、図１中符号１０で示す点線で描かれた長楕円で囲まれた部分）に配置されている。接合部９は、接着剤の塗布やヒートシール等の接合手段によって形成することができる。接合部９を接着剤の塗布によって形成する場合、該接着剤としては、当該技術分野においてシートどうしの貼り合わせ等に従来用いられているものを用いることができ、例えばホットメルト接着剤を用いることができる。
【００２９】
非接合部１２は、吸収体３を通過してきた尿等の液の導液路として機能するもので、そのパッド長手方向Ｘの両端が開口している。裏面シート４，８は何れも液不透過性であるため、重なり部１０における非接合部１２は、第１実施形態に係る裏面シートにおいて実質的に唯一の導液路である。従って、吸収体３を通過してきた液は、非接合部１２における内部裏面シート４の前端４ｆ側の開口端を介して重なり部１０内へ侵入し、該非接合部１２を通ってパッド長手方向Ｘに流れ、該非接合部１２における外部裏面シート８の後端８ｂ側の開口端を介して外部（吸収性パッド１と併用されている吸収性物品）へ移行する。
【００３０】
このように、吸収体３を通過した液が、重なり部１０をパッド長手方向Ｘに通過して外部へ移行するようになされていることにより、例えば特許文献１に記載の使い捨て補助パッドのように、吸収体を通過した液が、裏面シートを厚み方向に貫通する孔を介して外部へ移行するようになされている場合に比して、液の侵入口（非接合部１２における内部裏面シート４の前端４ｆ側の開口端）が吸収体３と対向し且つ外部裏面シート８の後端８ｂが後方部Ｃに配置されているため、尿等の液が外部へ移行し難く、その分、吸収体３内に液が保持され易くなり、例えば着用時において吸収性パッド１に少々の体圧がかかった程度では、非接合部１２を介して液が外部へ移行し難い。これにより、吸収性パッド１が本来有している液吸収保持能が十分に活用されるようになり、併用される吸収性物品の交換サイクルが長くなる等、吸収性物品を有効に利用することが可能となる。また、吸収体３に吸収性ポリマーが含まれている場合には、吸収性ポリマーの脱落が効果的に防止される。また、第１実施形態のように、内部裏面シート４と外部裏面シート８とによって吸収体３の非肌当接面側の全面が覆われていると、吸収体３全体が尿等の排泄物の吸収に有効に使用することが可能となっているので、これにより尿が外部へ移行するまでに吸収性パッド１が十分な吸収を行うことができる。
【００３１】
吸収性パッド１の各部の寸法等は適宜設定することができるが、特に下記範囲にあることが好ましい。
重なり部１０（接合部９、非接合部１２）のパッド長手方向Ｘの長さＬ１（図４参照）は、好ましくは５〜２００ｍｍ、更に好ましくは１０〜２００ｍｍである。
接合部９のパッド幅方向Ｙの長さＬ２（図４参照）は、好ましくは２〜２０ｍｍ、更に好ましくは５〜１５ｍｍである。
非接合部１２のパッド幅方向Ｙの長さ（隣接する接合部９，９の間隔）Ｌ３（図４参照）は、好ましくは５〜３０ｍｍ、更に好ましくは１０〜２０ｍｍである。
【００３２】
重なり部１０（非接合部１２）は、図１に示すように、弾性伸縮部固定部５３よりもパッド長手方向Ｘの内方に形成されていることが好ましい。弾性伸縮部固定部５３は前述したように立体ギャザー５が起立しない部分であり、重なり部１０が弾性伸縮部固定部５３よりもパッド長手方向Ｘの内方に形成されている、換言すれば、重なり部１０がパッド長手方向Ｘにおいて立体ギャザー５が起立可能な部分に形成されていることにより、起立した立体ギャザー５で堰き止められた尿等の液を、重なり部１０を介して外部へ移行させることが可能となり、漏れが効果的に防止される。
【００３３】
吸収性パッド１の構成部材について説明すると、表面シート２としては、当該技術分野において従来用いられている各種のものを用いることができ、尿等の液体を透過させることができるものであれば制限はなく、例えば、合成繊維又は天然繊維からなる織布や不織布、多孔性シート等が挙げられる。表面シート２の一例として、親水性不織布が挙げられる。該親水性不織布としては、親水化処理されたサーマルボンド不織布、スパンボンド不織布、スパンボンド−メルトブローン−スパンボンド不織布（ＳＭＳ）不織布等を用いることができる。表面シート２の坪量は、好ましくは１５〜３０ｇ／ｍ2である。
【００３４】
吸収体３としては、当該技術分野において従来用いられている各種のものを用いることができ、例えば、パルプ繊維等の繊維集合体に必要に応じ吸収性ポリマーを含有させてなる吸収性コア；繊維を主体とする２枚の繊維シート間に吸収性ポリマーを主体とする層を介在配置してなる吸収性コア；これらの吸収性コアをティッシュペーパー等の紙や各種不織布等の被覆シートで被覆したもの等が挙げられる。吸収体３の坪量は、好ましくは１５０〜５００ｇ／ｍ2である。
【００３５】
内部裏面シート４及び外部裏面シート８としては、それぞれ、当該技術分野において従来用いられている液不透過性のものを用いることができ、例えば、ポリエチレンフィルム等の樹脂製フィルム；撥水不織布等の不織布；樹脂製フィルムと不織布との積層体；耐水圧の高い不織布等が挙げられる。これらの中でも特に、樹脂製フィルムが好ましい。内部裏面シート４及び外部裏面シート８の坪量は、それぞれ、好ましくは１５〜３０ｇ／ｍ2である。内部裏面シート４と外部裏面シート８とは、同じものであっても良く、材質、坪量等が異なっていても良い。
【００３６】
立体ギャザー形成用シート材７としては、内部裏面シート４（外部裏面シート８）と同様のものを用いることができる。また、また、立体ギャザー５を構成する弾性部材６としては、例えば、ポリオレフィン類、ポリウレタン類及びこれらの共重合体、又は天然ゴム等からなる弾性材料等を用いることができる。
【００３７】
吸収性パッド１は、図５に示すように、別体の吸収性物品としての使い捨ておむつ９０の肌当接面側に配置して使用することができる。吸収性パッド１と併用される使い捨ておむつ９０は、液透過性の表面シート９１、液不透過性の裏面シート９２、及び両シート９１，９２間に介在された吸収体９３を具備しており、実質的に縦長である。使い捨ておむつ９０の肌当接面側の両側には、弾性部材を有する一対の立体ギャザー９４，９４が設けられており、また、吸収体９３の幅方向外方には、弾性部材を有する一対のレッグフラップ部９５，９５が設けられている。
【００３８】
第１実施形態の吸収性パッド１は、前述したように、吸収体３を通過した尿等の液が、２枚の裏面シート４，８の重なり部１０を、吸収体３の非肌当接面３１に沿って通過して外部へ移行するようになされているため、図５に示す如き使用形態において、液が吸収性パッド１内にある程度溜まってから使い捨ておむつ９０へ移行するようになり、これにより、吸収性物品の交換頻度の低減が図られ、吸収性物品を有効に利用することができ、漏れを起こし難い。また、重なり部１０のパッド長手方向Ｘの一端である、外部裏面シート８の後端８ｂが、後方部Ｃに位置しているために、中央部Ｂにある排尿ポイントに排出された液は、後端８ｂに達するまで、吸収性パッド１の吸収体３の広い領域に吸収され得る。また、重なり部１０においては接合部９と非接合部１２とが図４に示す如きパターンで配置されているため、尿等の液が重なり部１０に侵入してきた場合、パッド幅方向Ｙに流れて吸収性パッド１の側縁１ｓから漏れ出したりすることなく、パッド長手方向Ｘに延びる非接合部１２を通って速やかに使い捨ておむつ９０へ移行する。
【００３９】
以下に、本発明の吸収性パッドの他の実施形態について図６〜図９を参照して説明する。後述する他の実施形態については、前述した第１実施形態と異なる構成部分を主として説明し、同様の構成部分は同一の符号を付して説明を省略する。特に説明しない構成部分は、第１実施形態についての説明が適宜適用される。
【００４０】
図６及び図７には、本発明の吸収性パッドの第２実施形態が示されている。第２実施形態の吸収性パッド１においては、中央部Ｂに重なり部１０Ａ，１０Ｂが２箇所存している。即ち、第２実施形態の吸収性パッド１においては、１枚の内部裏面シート４が、中央部Ｂ並びに前方部Ａ及び後方部Ｃそれぞれの中央部Ｂ寄りの部分に配置されていると共に、２枚の外部裏面シート８Ａ，８Ｂが、パッド長手方向Ｘに所定間隔Ｗを置いて並列配置されており、内部裏面シート４と外部裏面シート８Ａとの重なり部１０Ａ、内部裏面シート４と外部裏面シート８Ｂとの重なり部１０Ｂがそれぞれ形成されている。
【００４１】
第２実施形態において、外部裏面シート８Ａは、内部裏面シート４と略同じ幅を有するシートで、前方部Ａ及び中央部Ｂに配置されており、後方部Ｃには配置されていない。外部裏面シート８Ａのパッド長手方向Ｘの後端８Ａｂは、吸収性パッド１の長手方向の略中央で且つ内部裏面シート４の前端４ｆよりも吸収性パッド１の長手方向後端１ｂ寄りに位置しており、前端８Ａｆは、吸収性パッド１の長手方向前端１ｆと略同位置にある。また、外部裏面シート８Ｂは、外部裏面シート８Ａと略同じ幅を有するシートで、後方部Ｃ及び中央部Ｂに配置されており、前方部Ａには配置されていない。外部裏面シート８Ｂのパッド長手方向Ｘの後端８Ｂｂは、吸収性パッド１の長手方向後端１ｂと略同位置にあり、前端８Ｂｆは、吸収性パッド１の長手方向の略中央で且つ内部裏面シート４の後端４ｂよりも吸収性パッド１の長手方向前端１ｆ寄りに位置している。外部裏面シート８Ａの後端８Ａｂと外部裏面シート８Ｂの前端８Ｂｆとの間（重なり部１０Ａと重なり部１０Ｂとの間）は、外部裏面シートが配置されておらず、液排出口１０Ｃとなっている。液排出口１０Ｃは、吸収性パッド１の長手方向の略中央部に位置しており、この場合、外部裏面シート８Ａ，８Ｂと内部裏面シート４とは２箇所の重なり部１０Ａ、１０Ｂを共有する。液排出口１０Ｃのパッド長手方向Ｘの長さＷ（２枚の外部裏面シート８Ａ，８Ｂの間）は、好ましくは５〜４０ｍｍ、更に好ましくは１０〜３０ｍｍである。
【００４２】
第２実施形態においては、吸収体３を通過した尿等の液は、内部裏面シート４の前端４ｆから重なり部１０Ａを通って液排出口１０Ｃを介して外部へ移行することもできるし、あるいは内部裏面シート４の後端４ｂから重なり部１０Ｂを通って液排出口１０Ｃを介して外部へ移行することもできる。第２実施形態によっても第１実施形態と同様の効果が奏される。特に、第２実施形態においては、導液路として機能する重なり部がパッド長手方向に所定間隔を置いて複数（２箇所）配置されているため、吸収体の液吸収保持能を有効に活用することができる。
【００４３】
図８及び図９には、本発明の吸収性パッドの第３実施形態が示されている。第３実施形態の吸収性パッド１においては、吸収体３に、該吸収体３を厚み方向に貫通する孔６１が形成されている点以外は、第１実施形態と同様に構成されている。詳細には、第３実施形態の後方部Ｃの吸収体３におけるパッド長手方向Ｘの両側に、一対の孔６１，６１が形成されている。一対の孔６１，６１は、吸収体３をパッド幅方向Ｙに二分する仮想直線（図示せず）を挟んで左右対称位置に形成されている。各孔６１は、平面視において角が丸みを帯びた略矩形形状をしており、その長手方向をパッド幅方向Ｙに一致させて形成されている。尚、孔６１の平面視における形状は、図８に示す略矩形形状に制限されず、例えば、円形状や楕円形状や三角形状や半円形状等にすることができ、また、その個数も特に制限されない。
【００４４】
孔６１は、図９に示すように、後方部Ｃで外部裏面シート８の後端８ｂの近傍に位置している。このように、吸収体３を厚み方向に貫通する孔６１が後方部Cに形成されていることにより、中央部Ｂにおける前記排尿ポイントに排泄された尿等の液が、吸収体３の後方端部に到達する前に孔６１に誘導され、外部裏面シート８の後端８ｂを通って、吸収性パッド１の非肌当接面側に配置された使い捨ておむつ等に誘導される。このように、排泄された尿等の液を吸収性パッド１の長手方向後方へ誘導することは、吸収体３の液吸収保持能の有効活用に繋がる。孔６１による斯かる効果をより確実に奏させるようにする観点から、孔６１は吸収性パッド１の後端１ｂから１５０ｍｍ以内、特に１００ｍｍ以内に形成されていることが好ましい。
【００４５】
また、孔６１は、図８に示すように、吸収体３のパッド幅方向Ｙの端部又はその近傍に形成されていることが好ましく、より具体的には、吸収体３の長手方向に沿った側縁（パッド幅方向の一端）３ｓから７０ｍｍ以内、特に４０ｍｍ以内に形成されていることが好ましい。このように孔６１が吸収体３の側部に偏在していることにより、例えば孔６１が吸収体３のパッド幅方向Ｙの中央部に形成されている場合に比して、前記排尿ポイントから孔６１までの距離が長くなるため、吸収性パッド１の液吸収保持能を十分に活用し易くなる。
【００４６】
また、孔６１は、図８に示すように、弾性伸縮部固定部５３よりもパッド長手方向Ｘの内方に形成されていることが好ましい。弾性伸縮部固定部５３は前述したように立体ギャザー５が起立しない部分であり、孔６１が弾性伸縮部固定部５３よりもパッド長手方向Ｘの内方に形成されている、換言すれば、孔６１がパッド長手方向Ｘにおいて立体ギャザー５が起立可能な部分に形成されていることにより、起立した立体ギャザー５で堰き止められた尿等の液を、孔６１を介して裏面シート側へ移行させることが可能となり、漏れが効果的に防止される。
【００４７】
以上、本発明をその好ましい実施形態に基づき説明したが、本発明は前記実施形態に制限されない。例えば、立体ギャザー５は無くても構わない。また、前記実施形態の吸収性パッドは、その非肌当接面側に、該吸収性パッドを別体の吸収性物品に固定する固定部を有していても良い。
【００４８】
また、本発明の吸収性パッドと併用可能な吸収性物品は、図５に示す如き構成の使い捨ておむつに制限されず、立体ギャザーを有していない使い捨ておむつ、失禁パッド、尿取りパッド、ペット用おむつ、ペット用シーツ等にも適用できる。
【符号の説明】
【００４９】
１  吸収性パッド
２  表面シート
３  吸収体
４  内部裏面シート
５  立体ギャザー
８  外部裏面シート
９  接合部
１０  重なり部
１２  非接合部
３１  吸収体３の非肌当接面側
４１  内部裏面シートの非肌当接面側
５１  基壁部
５２  弾性伸縮部
６１  孔
９０  使い捨ておむつ（吸収性パッドと併用される吸収性物品）
Ａ  前方部
Ｂ  中央部
Ｃ  後方部
【図１】
2011019562.tif 000003
【図２】
2011019562.tif 000004
【図３】
2011019562.tif 000005
【図４】
2011019562.tif 000006
【図５】
2011019562.tif 000007
【図６】
2011019562.tif 000008
【図７】
2011019562.tif 000009
【図８】
2011019562.tif 000010
【図９】
2011019562.tif 000011